(57)【要約】【課題】少ない照明エネルギーでしかも、ほのかに照らすことができ、眩しくない照明装置を提供する。【解決手段】蓄光部１からなる発光する部材を、便器２、床面４、洗面器５、水栓８、主要部材１１，１４等に配設し、前記蓄光部１に対して光を照射する照明具３を設けている。このように、便器２、床面４、洗面器５等に設けた蓄光部１へ照明具３によって光を直接照射することにより、蓄光部１はかなりの明るさを呈し、室内のほのかな照明として利用することができる上、夜間においても眩しいということはない。また蓄光部１への光の照射は、ＬＥＤ等の極めて小さい電力のものでも十分であり、極めて省エネルギーである。【選択図】  図１
2004218243.tif 000002
【特許請求の範囲】
【請求項１】
蓄光部からなる発光する表面を有する便器と、前記蓄光部へ光を照射する照明具とを備えた屋内の間接照明装置。
【請求項２】
便器と、蓄光部からなる発光する表面を有する床面と、前記  蓄光部へ光を照射する照明具とを備えた屋内の間接照明装置。
【請求項３】
便器に照明具を設けた請求項１又は２に記載の屋内の間接照明装置。
【請求項４】
蓄光部からなる発光する鉢面を有する洗面器と、蓄光部へ光を照射する照明具とを備えた屋内の間接照明装置。
【請求項５】
蓄光部からなる発光する表面を有する水栓と、蓄光部へ光を照射する照明具とを備えた屋内の間接照明装置。
【請求項６】
蓄光部からなる発光する表面を有する主要部と、該主要部を取り付ける取付部と、主要部と取付部との間に設けられて、蓄光部へ光を照射する照明具とを備えた照明具とを備えた屋内の間接照明装置。
【発明の詳細な説明】
【０００１】
【発明の属する技術分野】
本発明は、蓄光部からなる発光する表面を有する便器や洗面器等の屋内における間接照明装置に関するものである。
【０００２】
【従来の技術】
例えば、夜間にトイレ室を使用する場合等において、昼間の照明と同じ明るさであると使用者にとって眩しすぎることがある。そのため、従来においては、特許文献１又は特許文献２等のように、間接照明を行ったり、把手等の部材自体の表面に発光部を設けて発光させ、室内の照明をしないようにすることがある。
【０００３】
特許文献１に記載された技術にあっては、高輝度ＬＥＤを光源とする照明ユニットを手洗いキャビネットの側面などに設けてトイレ室の足元を照明し、間接照明とすることにより、夜間等の使用にあっても眩しくないようにしている。
【０００４】
また特許文献２に記載された技術にあっては、人造大理石の材料中に蓄光材を混合して成形したものを、把手、手摺り、階段の踏み板などの部材に配設している。この技術では、各部材が夜光性等の光特性、残光輝度に優れたものとなり、夜間においてトイレ室内を利用する場合等に、室内の照明を省略でき、眩しさを感じることがないようにすることが可能である。
【０００５】
【特許文献１】
特開２００２−２６３０３６号公報
【特許文献２】
特開平１１−２９６１１６号公報
【０００６】
【発明が解決しようとする課題】
ところが、特許文献１に記載された技術にあっては、間接照明ユニットの外観寸法が大きく、広めの設置場所を必要とするので、狭いトイレ室内では設置が困難であった。またこの間接照明ユニットは、家庭用の屋内電源によって点灯するので、電源コード、ＯＮ・ＯＦＦスイッチ等が必要で意匠上不要な部材を多く必要とし、煩雑とした感じを与えるという欠点があった。更に、家庭用の屋内電源を使用する関係上、余分に電気代を要し、不経済でもあった。
【０００７】
一方、特許文献２に記載された技術にあっては、蓄光材を混合した材料を家具等の部材に配設して蓄光材に蓄積された光により発光させるだけであり、その部材の存在を夜間において認識することはできても、トイレ室内の照明を兼用する程の光量を得ることはできないでいた。そのため、夜間にトイレ室を使用する場合は、やはり室内の照明を点灯しなければならず、夜間の使用者にとっては眩しいという欠点があった。また室内の照明を利用する関係上、電力を多く必要とする欠点があった。
【０００８】
本発明は従来の前記課題に鑑みてこれを改良除去したものであって、少ない照明エネルギーでしかも、ほのかに照らすことができ、眩しくない照明装置を提供せんとするものである。
【０００９】
【課題を解決するための手段】
而して、本発明にあっては、蓄光部からなる発光する部材を、便器、床面、洗面器、水栓、主要部材等に配設し、前記蓄光部に対して光を照射する照明具を設けている。
この発明では、便器や床面、洗面器等に設けた蓄光部へ照明具によって光を照射している。蓄光部への光の照射は、ＬＥＤ等の極めて小さい電力のものでも十分である。しかも、直接光を照射することにより、蓄光部はかなりの明るさを呈し、室内のほのかな照明として利用することができる上、夜間においても眩しいということはない。
【００１０】
また照明具は極めて小さいものであるため、任意の場所へ取り付けても意匠性を損なうものではなく、その取り付けは、便器、床面、水栓金具、主要部とその取付部との中間部等が可能である。従って、蓄光部の近くに設置でき、ＬＥＤのような小さい電力のものでもほのかな室内照明として実現できるものである。
【００１１】
【発明の実施の形態】
以下に、本発明の構成を図面に示す発明の実施の形態に基づいて説明すると次の通りである。図１は本発明の第１の実施の形態に係るものであり、図（Ａ）は蓄光部１を設けた便器２を示す斜視図、図（Ｂ）は蓄光部１を縦断面して便器２を正面側から見た図面、図（Ｃ）は照明具としての発光ダイオード（以下は、ＬＥＤという）３を床４へ設置した場合の蓄光部１を縦断面して便器２を正面側から見た図面である。同図に示す如く、この実施の形態にあっては、便器２の正面から両側面にかけた下部側に蓄光部１を焼成若しくは焼き付け又は貼り付け、塗布などにより取り付け、便器２の外周壁面でかつ蓄光部材１の上端面にＬＥＤ３を貼り付け等により取り付けている。また同図の図（Ｃ）のように、ＬＥＤ３は床４へ設置し、その光が便器２の外周壁面に貼り付けた蓄光部１に対して照射されるようにしてもよい。
【００１２】
このように蓄光部１に対してＬＥＤ３で光を照射することにより、蓄光部１は継続して光を蓄えて発光し、またＬＥＤ３の光の一部を直接反射光として出力するので、かなりの明るさとなる。そのため、トイレ室内の照明をＯＦＦにした状態であっても、前記蓄光部１からの発光によって特に便器２の周辺を中心にしてトイレ室内の全体をほのかに照らすことができる間接照明となる。ＬＥＤ３は極めて小電力であり、電球や蛍光灯等を光源とする従来の場合に比較してかなりの省エネルギー化が図れる。
【００１３】
またＬＥＤ３のＯＮ・ＯＦＦを、トイレ室内への入退室者を人体検知センサーで検知し、トイレ使用者がトイレ室内へ来たことを検知してＬＥＤ３をＯＮ動作させ、トイレ室から退室したことを検知してＬＥＤ３をＯＦＦ動作させるようにすれば、より一層の省エネルギー化が図れる。
更に、ＬＥＤ３の光の色を選択することにより、間接照明の色調を自由に変更することが可能であり、その雰囲気作りを容易に変更することが可能である。
【００１４】
図２は、本発明の第２の実施の形態に係るものであり、便器２の全体及び床４の一部を示す斜視図である。同図に示す如く、この実施の形態にあっては、蓄光部１を便器２の手前側及び左右の側面に面した床４に配設している。これは貼り付け又は埋め込み等であってもよい。そして、便器２の蓄光部１と接する側の領域にＬＥＤ３を貼り付け、ＬＥＤ３の光が蓄光部２に直接照射されるようにしている。
【００１５】
このように蓄光部１に対してＬＥＤ３で光を照射することにより、蓄光部１は継続して光を蓄えて発光し、またＬＥＤ３の光の一部を直接反射光として出力するので、かなりの明るさとなる。そのため、トイレ室内の照明をＯＦＦにした状態であっても、前記蓄光部１からの発光によって特に便器２の周辺を中心にしてトイレ室内の全体をほのかに照らすことができる間接照明となること、かなりの省エネルギー化が図れることは前記第１の実施の形態の場合と同じである。
【００１６】
また第１の実施の形態の場合と同じように、ＬＥＤ３のＯＮ・ＯＦＦを、人体検知センサーの検知信号によって行うようにしてもよく、ＬＥＤ３の光の色を選択することにより、間接照明の色調を自由に変更することが可能であり、その雰囲気作りを容易に変更することが可能である。
【００１７】
図３は本発明の第３の実施の形態に係る洗面器５の概略縦断面図である。同図に示す如く、この実施の形態にあっては、洗面器５の鉢内面６に蓄光部１を設けている。そして、この蓄光部１に対して洗面器５の奥部側の壁面７の上部又は水栓８の下方等の鉢内面６の蓄光部１に対して光を照射できる位置にＬＥＤ３を取り付けている。ＬＥＤ３は、人体検知センサー又は自動水栓の手検知センサーによってＯＮ・ＯＦＦ制御されるものであれば、極めて省エネルギーである。
【００１８】
またこれにより鉢内面６の蓄光部１がほのかな明かりを灯すようになり、間接照明効果が得られる。その他の作用効果は、前記第１及び第２の実施の形態の場合と同じである。
【００１９】
図４は、本発明の第４の実施の形態に係る洗面器５及び水栓８を示すものであり、図（Ａ）は側面図、図（Ｂ）は水栓８の取付部を示す縦断面図である。同図に示す如く、この実施の形態では、水栓８の吐出部８Ａと取付基部８Ｂとの間の本体部分８Ｃの周囲に蓄光部１を設けている。蓄光部１は焼き付けによる他、貼り付けてもよく。また同図の図（Ｂ）に示すように、蓄光部１を断面Ｃリング状の筒形状とし、これを拡開して水栓本体８Ｃの外周面に設けた凹部へ外嵌装着するようにしてもよい。ＬＥＤ３は、取付基部８Ｂに設け、蓄光部１に対して光を照射するようにすればよい。
【００２０】
この第４の実施の形態では、水栓本体８の本体部分外周面の蓄光部１がＬＥＤ３からの光を直接受けて発光し、室内全体をほのかな明かりで照らす、いわゆる間接照明が得られる。その他の作用効果については、前記各実施の形態の場合と同じである。
【００２１】
図５は、本発明をタオル掛けバー９に適用した第５の実施の形態に係るものであり、タオル掛けバー９の取付部１０を示す縦断面図である。同図に示す如く、この実施の形態では、主要部であるバー１１の表面に蓄光部１を貼り付け又は塗布等の方法により取り付け、該バー１１を壁面等へ取り付けるための取付部１０にＬＥＤ３を組み込んでその光を蓄光部１へ直接照射するようにしている。
このタオル掛けバー９は、バー１１の室内側に面する外周面の蓄光部１がＬＥＤ３からの光を直接受けて発光し、室内全体のほのかな照明となる。その他の作用効果は、前記各実施の形態の場合と同じである。
【００２２】
図６は、本発明を別のタオル掛けバー１２に適用した場合の取付部１３の縦断面図である。同図に示す如く、この実施の形態に係るタオル掛けバー１２にあっては、主要部であるバー１４を樹脂等の透明材料と蓄光材料とを混合した材料で成形し、またその壁面側の外周面には光の漏洩を防止するための反射部１５を塗布等により形成している。そして、取付部１３の空洞１６内においてバー１４の端面側にＬＥＤ３を配置し、その光をバー１４内に混合して存在する蓄光部１へ直接照射するようにしている。
このタオル掛けバー１２は、バー１４の反射部１５を除く外周面から光が発せられ、室内全体のほのかな照明を実現する。その他の作用効果は、前記各実施の形態の場合と同じである。
【００２３】
【発明の効果】
以上説明したように本発明にあっては、蓄光部からなる発光する部材を、便器、床面、洗面器、水栓、主要部材等に配設し、前記蓄光部に対して光を照射する照明具を設けている。このように、便器、床面、洗面器等に設けた蓄光部へ照明具によって光を直接照射することにより、蓄光部はかなりの明るさを呈し、室内のほのかな照明として利用することができる上、夜間においても眩しいということはない。また蓄光部への光の照射は、ＬＥＤ等の極めて小さい電力のものでも十分であり、極めて省エネルギーである。
【００２４】
また照明具は極めて小さいものであるため、任意の場所へ取り付けても意匠性を損なうものではなく、その取り付けは、便器、床面、水栓金具、主要部とその取付部との中間部等が可能である。従って、蓄光部の近くに設置でき、ＬＥＤのような小さい電力のものでもほのかな室内照明として実現できるものである。
【図面の簡単な説明】
【図１】本発明の第１の実施の形態に係るものであり、図（Ａ）は蓄光部を設けた便器を示す斜視図、図（Ｂ）は蓄光部を縦断面して便器を正面側から見た図面、図（Ｃ）は照明具としてのＬＥＤを床へ設置した場合の蓄光部を縦断面して便器を正面側から見た図面である。
【図２】本発明の第２の実施の形態に係るものであり、便器の全体及び床の一部を示す斜視図である。
【図３】本発明の第３の実施の形態に係る洗面器の概略縦断面図である。
【図４】本発明の第４の実施の形態に係る洗面器及び水栓を示すものであり、図（Ａ）は側面図、図（Ｂ）は水栓の取付部を示す縦断面図である。
【図５】本発明の第５の実施の形態に係るものであり、タオル掛けバーの取付部を示す縦断面図である。
【図６】本発明の第６の実施の形態に係るものであり、別のタオル掛けバーの取付部を示す縦断面図である。
【符号の説明】
１…蓄光部、２…便器、３…ＬＥＤ、４…床、５…洗面器、６…鉢面、７…壁面、８…水栓、９…タオル掛けバー、１０…取付部、１１…バー（主要部）、１２…タオル掛けバー、１３…取付部、１４…バー、１５…反射部
【図１】
2004218243.tif 000003
【図２】
2004218243.tif 000004
【図３】
2004218243.tif 000005
【図４】
2004218243.tif 000006
【図５】
2004218243.tif 000007
【図６】
2004218243.tif 000008